(57)【要約】  【課題】ＭＩＭＯ固有モード通信において、バースト伝送の効率を向上する。  【解決手段】ＭＩＭＯ通信を利用する無線送信器に、受信した予め決められた内容のパケットから推定される、受信したパケット毎のチャネル行列が記録されていくチャネル行列記録部４０５と、複数の記録されたチャネル行列に基づいて、チャネル行列の変動を予測するチャネル行列変動予測部４０６と、チャネル行列変動予測部４０６からの指示にしたがって、送信するパケットの変調方式および／または誤り訂正符号の符号化率を変更しながら、送信するパケットをバースト送信させるバースト送信制御部４０７とを備えた。【選択図】図１
2006303625.tif 000002
【特許請求の範囲】
【請求項１】
同一時間に同一周波数で動作する複数の送受信系統を備えた無線送信器において、
受信した予め決められた内容のパケットから推定される、前記受信したパケット毎のチャネル行列が記録されていくチャネル行列記録部と、
複数の前記記録されたチャネル行列に基づいて、チャネル行列の変動を予測するチャネル行列変動予測部と、
前記チャネル行列変動予測部からの指示にしたがって、送信するパケットの変調方式および／または誤り訂正符号の符号化率を変更しながら、前記送信するパケットをバースト送信させるバースト送信制御部とを備えた、無線送信器。
【請求項２】
前記バースト送信制御部は、前記送信するパケット毎に、変調方式および／または誤り訂正符号の符号化率を段階的に変更しながら、前記送信するパケットをバースト送信させる、請求項１に記載の無線送信器。
【請求項３】
前記バースト送信制御部は、
変調方式および／または誤り訂正符号の符号化率の前記段階的な変更では前記チャネル行列の変動の速さに追従できない場合には、バースト送信中に送信するパケット数を少なくしてバースト伝送時間を短縮させる、請求項２に記載の無線送信器。
【請求項４】
同一時間に同一周波数で動作する複数の送受信系統を備えた無線送信器において、
バースト送信した伝送結果を記録していくバースト伝送結果記録部と、
前記記録された伝送結果に基づいて、これからバースト送信する際のバースト送信期間を決定するバースト送信期間決定部とを備えた、無線送信器。
【請求項５】
前記バースト送信期間決定部は、
複数のバースト伝送の前記伝送結果の中で、バースト伝送を失敗した伝送結果のうちの最も短いバースト送信期間よりも短い期間を、前記これからバースト送信する際のバースト送信期間と決定する、請求項４に記載の無線送信器。
【請求項６】
前記バースト送信期間決定部は、
複数のバースト伝送の前記伝送結果の中で、バースト伝送を成功した伝送結果のうちの最も長いバースト送信期間を、前記これからバースト送信する際のバースト送信期間と決定する、請求項４に記載の無線送信器。
【請求項７】
同一時間に同一周波数で動作する複数の送受信系統を備えた無線送信器のバースト送信方法において、
受信した予め決められた内容のパケットから推定される、前記受信したパケット毎のチャネル行列を記録していくチャネル行列記録ステップと、
複数の前記記録したチャネル行列に基づいて、チャネル行列の変動を予測するチャネル行列変動予測ステップと、
前記予測されるチャネル行列の変動に基づいて、送信するパケットの変調方式および／または誤り訂正符号の符号化率を変更させながら、前記送信するパケットをバースト送信するバースト送信制御ステップとを備えた、無線送信器のバースト送信方法。
【請求項８】
同一時間に同一周波数で動作する複数の送受信系統を備えた無線送信器のバースト送信方法において、
バースト送信した伝送結果を記録していくバースト伝送結果記録ステップと、
前記記録した伝送結果に基づいて、これからバースト送信する際のバースト送信期間を決定するバースト送信期間決定ステップと、
前記決定したバースト送信期間に、送信するパケットをバースト送信するバースト送信制御ステップとを備えた、無線送信器のバースト送信方法。
【請求項９】
請求項７に記載の無線送信器のバースト送信方法の、前記受信したパケット毎のチャネル行列を記録していく前記チャネル行列記録ステップ、チャネル行列の変動を予測する前記チャネル行列変動予測ステップ、送信するパケットの変調方式および／または誤り訂正符号の符号化率を変更させながら前記送信するパケットをバースト送信する前記バースト送信制御ステップ、を実行するためにコンピュータを機能させるためのプログラム。
【請求項１０】
請求項８に記載の無線送信器の前記バースト送信方法の、バースト送信した伝送結果を記録していく前記バースト伝送結果記録ステップ、これからバースト送信する際のバースト送信期間を決定する前記バースト送信期間決定ステップ、前記決定したバースト送信期間に送信するパケットをバースト送信する前記バースト送信制御ステップ、を実行するためにコンピュータを機能させるためのプログラム。
【請求項１１】
請求項９または１０に記載のプログラムを記録した記録媒体であって、コンピュータで利用可能な記録媒体。
【発明の詳細な説明】
【技術分野】
【０００１】
本発明は、多入力多出力（Ｍｕｌｔｉｐｌｅ  Ｉｎｐｕｔ  Ｍｕｌｔｉｐｌｅ  Ｏｕｔｐｕｔ；以下、ＭＩＭＯと省略）を利用した、無線送信器、および無線送信器のバースト送信方法に関する。
【背景技術】
【０００２】
近年、無線ＬＡＮや携帯電話などの無線通信において、送受信系統を複数具備することにより実現するＭＩＭＯ通信を利用する動きが活発になっている。ＭＩＭＯ通信を利用することにより、周波数利用効率や通信安定性の向上が期待できるためである（例えば、特許文献１参照）。
【０００３】
図７は、一般的なＭ×Ｎ（送信アンテナ数Ｍ、受信アンテナ数Ｎ）ＭＩＭＯ通信におけるチャネル行列の概念図を表している。
【０００４】
Ｍ本の送信アンテナを備えた送信器１０１から、Ｎ本の受信アンテナを備えた受信器１０２に情報が送信される。
【０００５】
１０３は、チャネル行列Ｈである。ｈ11、ｈ12、…ｈNMは、送信器１０１のアンテナ１〜Ｍのそれぞれから出力され、受信器１０２のアンテナ１〜Ｎのそれぞれに入力される信号が受ける振幅および位相の相対変化を表す伝達関数である。この伝達関数の、送信アンテナ数Ｍ本、受信アンテナ数Ｎ本の組み合わせ分全てをＮ行Ｍ列にまとめたものがチャネル行列Ｈである。
【０００６】
ＭＩＭＯ通信では複数の送信アンテナから同時に同一周波数帯域の信号を送信するが、これを混信なく受信側に全ての情報を送信するＭＩＭＯ通信の一方法として、固有モード通信がある。
【０００７】
図８に、ＭＩＭＯ固有モード通信の概略図を示す。一般に、チャネル行列Ｈは特異値分解によって一意に（１）式のように分解できる。
【０００８】
Ｈ＝ＵＳＶH    ・・・・・・  （１）
ここで、ＵおよびＶはユニタリー行列であり、Ｓは対角のみ非零の値を持ち得て、非対角成分はすべて零となる対角行列である。
【０００９】
以上のように分解されたチャネル行列ＨをＭＩＭＯ固有モード通信では以下のように考える。すなわち、図８において、２０１は送信側処理ＶH（Hは複素共役転置を示す）とし、２０２は見かけ上の伝送路Ｓとし、２０３は受信側処理Ｕとするのである。これにより、Ｓが対角行列であることから、対角成分（λ1、λ2、‥λM0）に独立に情報をのせて、混信なく最大Ｍ０個のデータを並列伝送することが可能となる。Ｍ０個のデータを並列伝送できるのは、チャネル行列Ｈを分解して得られた対角行列Ｓの対角成分が全て非零の場合である。
【００１０】
このようにして、送信側で信号処理（すなわちＶHをかけること）を施し、受信側でも信号処理（すなわちＵをかけること）を施して伝送路を並列化（すなわちＳ）することによって、同一時間、同一周波数で並列伝送を行うのがＭＩＭＯ固有モード伝送である。
【００１１】
次に、ＭＩＭＯ固有モード通信で送信側から連続してパケットを送信するバースト伝送の場合を考える。
【００１２】
図９は、ＭＩＭＯ固有モード通信におけるバースト伝送のシーケンスの一例を示した図である。送信器３０１から受信器３０２に、バースト伝送する際のシーケンスを示している。３０３はＲＴＳパケット、３０４はＣＴＳパケット、３０５はパケット番号Ｌ−１のデータパケット、３０６はパケット番号Ｌのデータパケットをそれぞれ示している。
【００１３】
ＭＩＭＯ固有モード通信では、送信側および受信側の双方でその瞬間のチャネル行列Ｈを知る必要があるため、送信側がデータを送信する前にチャネル行列推定を行う。ここでは、ＲＴＳ／ＣＴＳ信号を用いてチャネル行列推定を行っている。
【００１４】
この場合、受信側はＲＴＳパケット３０３を受信することにより、チャネル行列を推定し、送信側はＣＴＳパケット３０４を受信することによってチャネル行列を推定している。
【００１５】
複数のアンテナから同時に出力する場合、このＲＴＳパケットおよびＣＴＳパケットには、パケット先頭部のプリアンブル信号をアンテナごとにパターンを変えて出力することで受信器が適切にプリアンブル信号を識別することができる、ＭＩＭＯ固有モード伝送特有のＲＴＳ／ＣＴＳパケットを用いる。また、従来のＲＴＳおよびＣＴＳパケットを用いて１つのアンテナから出力する場合には、アンテナごとにアンテナの数だけＲＴＳ／ＣＴＳのパケット交換を行う。
【００１６】
このようして、送信側および受信側の双方でチャネル行列Ｈを知ることができた後、バースト伝送を開始する。
【特許文献１】特開２００３−２０４３１４号公報
【発明の開示】
【発明が解決しようとする課題】
【００１７】
しかしながら、上記従来のバースト伝送方法では、チャネル行列Ｈが時間とともに変動するため、受信側がパケットを正常に受信できないという問題があった。
【００１８】
つまり、ＭＩＭＯ固有モード通信におけるバースト伝送では、Ｌ個のパケットを連続的に送信するのであるが、チャネル行列Ｈは時間とともに変動するため、後半の、例えばパケット３０５や３０６を送る時間になると、実際のチャネル行列がバースト伝送の事前に行ったチャネル行列の推定値からもはや誤差を生じている場合がある。その結果、バースト伝送の後半部分では受信側がパケットを正常に受信できないことがある。
【００１９】
本発明は、上述した従来の課題を解決するもので、ＭＩＭＯ固有モード通信のバースト伝送における通信の成功率を向上させる、無線送信器、およびそのバースト送信方法を提供することを目的とする。
【課題を解決するための手段】
【００２０】
上述した課題を解決するために、第１の本発明は、
同一時間に同一周波数で動作する複数の送受信系統を備えた無線送信器において、
受信した予め決められた内容のパケットから推定される、前記受信したパケット毎のチャネル行列が記録されていくチャネル行列記録部と、
複数の前記記録されたチャネル行列に基づいて、チャネル行列の変動を予測するチャネル行列変動予測部と、
前記チャネル行列変動予測部からの指示にしたがって、送信するパケットの変調方式および／または誤り訂正符号の符号化率を変更しながら、前記送信するパケットをバースト送信させるバースト送信制御部とを備えた、無線送信器である。
【００２１】
また、第２の本発明は、
前記バースト送信制御部は、前記送信するパケット毎に、変調方式および／または誤り訂正符号の符号化率を段階的に変更しながら、前記送信するパケットをバースト送信させる、第１の本発明の無線送信器である。
【００２２】
また、第３の本発明は、
前記バースト送信制御部は、
変調方式および／または誤り訂正符号の符号化率の前記段階的な変更では前記チャネル行列の変動の速さに追従できない場合には、バースト送信中に送信するパケット数を少なくしてバースト伝送時間を短縮させる、第２の本発明の無線送信器である。
【００２３】
また、第４の本発明は、
同一時間に同一周波数で動作する複数の送受信系統を備えた無線送信器において、
バースト送信した伝送結果を記録していくバースト伝送結果記録部と、
前記記録された伝送結果に基づいて、これからバースト送信する際のバースト送信期間を決定するバースト送信期間決定部とを備えた、無線送信器である。
【００２４】
また、第５の本発明は、
前記バースト送信期間決定部は、
複数のバースト伝送の前記伝送結果の中で、バースト伝送を失敗した伝送結果のうちの最も短いバースト送信期間よりも短い期間を、前記これからバースト送信する際のバースト送信期間と決定する、第４の本発明の無線送信器である。
【００２５】
また、第６の本発明は、
前記バースト送信期間決定部は、
複数のバースト伝送の前記伝送結果の中で、バースト伝送を成功した伝送結果のうちの最も長いバースト送信期間を、前記これからバースト送信する際のバースト送信期間と決定する、第４の本発明の無線送信器である。
【００２６】
また、第７の本発明は、
同一時間に同一周波数で動作する複数の送受信系統を備えた無線送信器のバースト送信方法において、
受信した予め決められた内容のパケットから推定される、前記受信したパケット毎のチャネル行列を記録していくチャネル行列記録ステップと、
複数の前記記録したチャネル行列に基づいて、チャネル行列の変動を予測するチャネル行列変動予測ステップと、
前記予測されるチャネル行列の変動に基づいて、送信するパケットの変調方式および／または誤り訂正符号の符号化率を変更させながら、前記送信するパケットをバースト送信するバースト送信制御ステップとを備えた、無線送信器のバースト送信方法である。
【００２７】
また、第８の本発明は、
同一時間に同一周波数で動作する複数の送受信系統を備えた無線送信器のバースト送信方法において、
バースト送信した伝送結果を記録していくバースト伝送結果記録ステップと、
前記記録した伝送結果に基づいて、これからバースト送信する際のバースト送信期間を決定するバースト送信期間決定ステップと、
前記決定したバースト送信期間に、送信するパケットをバースト送信するバースト送信制御ステップとを備えた、無線送信器のバースト送信方法である。
【００２８】
また、第９の本発明は、
第７の本発明の無線送信器のバースト送信方法の、前記受信したパケット毎のチャネル行列を記録していく前記チャネル行列記録ステップ、チャネル行列の変動を予測する前記チャネル行列変動予測ステップ、送信するパケットの変調方式および／または誤り訂正符号の符号化率を変更させながら前記送信するパケットをバースト送信する前記バースト送信制御ステップ、の全部又は一部のステップを実行するためにコンピュータを機能させるためのプログラムである。
【００２９】
また、第１０の本発明は、
第８の本発明の無線送信器の前記バースト送信方法の、バースト送信した伝送結果を記録していく前記バースト伝送結果記録ステップ、これからバースト送信する際のバースト送信期間を決定する前記バースト送信期間決定ステップ、前記決定したバースト送信期間に送信するパケットをバースト送信する前記バースト送信制御ステップ、の全部又は一部のステップを実行するためにコンピュータを機能させるためのプログラムである。
【００３０】
また、第１１の本発明は、
第９または第１０の本発明のプログラムを記録した記録媒体であって、コンピュータで利用可能な記録媒体である。
【発明の効果】
【００３１】
本発明により、ＭＩＭＯ固有モード通信のバースト伝送における通信の成功率を向上させる、無線送信器、およびそのバースト送信方法を提供することができる。
【発明を実施するための最良の形態】
【００３２】
以下、本発明の実施の形態について、図面を参照しながら説明する。
【００３３】
（実施の形態１）
図１は、本発明の実施の形態１の無線送信器のブロック図を示している。
【００３４】
本実施の形態１の送信器５０１は、Ｍ本のアンテナ４０２と、アンテナ４０２のそれぞれに接続されるＭ個の送受切替スイッチ４０３を備えた無線送信器である。Ｍ個の送受切替スイッチ４０３は、いずれも、受信処理部４０４および送信処理部４０８に接続されている。また、チャネル行列記録部４０５、チャネル行列変動予測部４０６、バースト送信制御部４０７を備えている。
【００３５】
図２は、本実施の形態１の送信器５０１から受信器５０２に、バースト伝送する際のシーケンスを示している。
【００３６】
５０３は送信パケット番号１のデータパケット、５０４は送信パケット番号２のデータパケット、５０５は送信パケット番号３のデータパケット、５０６は送信パケット番号Ｌ−１のデータパケット、５０７は送信パケット番号Ｌのデータパケットをそれぞれ示している。
【００３７】
以下、図１および図２を用いて本実施の形態１の送信器５０１の動作について説明する。
【００３８】
まず、図１において、送信器５０１の受信動作を行う場合について述べる。
【００３９】
受信動作時、各々のアンテナ４０２から入射された受信信号は、それぞれ、送受切替スイッチ４０３を介して受信処理部４０４に送られる。そして、受信処理部４０４では、受信したパケットごとにチャネル行列を推定する。図２の場合には、送信器５０１の受信処理部４０４は、ＣＴＳパケットを受信した際に、そのチャネル行列を推定する。その後、その推定結果を受信時刻とともにチャネル行列記録部４０５に記録していく。
【００４０】
なお、図２におけるＣＴＳパケットが、本発明の、予め決められた内容のパケットの一例である。
【００４１】
なお、ＣＴＳパケットを使用してチャネル行列を推定する以外にも、所望のデータを送信する直前のデータパケットからチャネル行列を推定するとしてもよい。
【００４２】
図３は、チャネル行列記録部４０５に記録された推定チャネル行列の一例を示している。
【００４３】
次に、送信器５０１が受信器５０２にバースト伝送を行う場合について述べる。
【００４４】
チャネル行列変動予測部４０６は、チャネル行列記録部４０５に受信時に記録された推定チャネル行列の情報を参照して変動の速さや受信電力の推移を予測し、バースト送信制御部４０７に、パケットごとに使用すべき変調方式および誤り訂正方式についての指示を出す。なお、推定チャネル行列の変動の速さや受信電力の推移が、本発明のチャネル行列の変動の一例にあたる。
【００４５】
チャネル行列変動予測部４０６から指示を受けたバースト送信制御部４０７は、バースト伝送中にチャネル行列が変動すると予測された場合には、図２の５０３から５０７のパケットに示すように、チャネル行列変動予測部４０６からの指示に従ってパケットごとに段階的に変調方式および誤り訂正符号の強さを変更しながら送信パケットのバースト伝送を行うように、送信処理部４０８に指示を出す。
【００４６】
バースト送信制御部４０７は、予測されるチャネル行列の変動の速さが著しいために、変調方式や誤り訂正符号の強さの変更だけではチャネル行列の変動に追従できないと判断した場合には、バースト伝送時間を短縮する。すなわち、バースト伝送に予定していた連続するパケット数Ｌ個よりも少ないパケット数Ｋ個（Ｋ＜Ｌ）のパケットのバースト伝送を行うように、送信処理部４０８に指示を出す。また、受信電力が不足すると予測された場合にも同様にバースト伝送時間を短縮する。
【００４７】
図４は、バースト送信制御部４０７が、バースト伝送時の連続して送信するパケット数をＫ個（Ｋ＜Ｌ）と指示したときの、送信器５０１と受信器５０２間のシーケンスを示している。このバースト伝送期間に伝送できなかった、Ｌ−Ｋ個の残りのパケットは、別のバースト伝送シーケンスにより送信する。
【００４８】
以上に説明したように、本実施の形態１の送信器は、バースト伝送中、送信側から送信するデータの変調方式や誤り訂正符号の強さを段階的に変更することで、通信効率の向上をはかることができる。
【００４９】
なお、本実施の形態１では、バースト送信制御部４０７は、パケットごとに段階的に変調方式および誤り訂正符号の強さを変更しながら送信パケットのバースト伝送を行うように、送信処理部４０８に指示を出すこととしたが、変調方式および誤り訂正符号の強さを、段階的にではなく、すみやかに低レート、低符号化率の方式に変更するように指示してもよい。また、変調方式または誤り訂正符号の強さのいずれか一方のみを、段階的に変更するよう指示してもよい。
【００５０】
（実施の形態２）
図５は、本発明の実施の形態２の無線送信器のブロック図を示している。
【００５１】
本実施の形態２の送信器８０１は、Ｍ本のアンテナ８０２と、アンテナ８０２のそれぞれに接続されるＭ個の送受切替スイッチ８０３を備えた無線送信器である。Ｍ個の送受切替スイッチ８０３は、いずれも、受信処理部８０４および送信処理部８０８に接続されている。また、バースト伝送結果記録部８０５、バースト伝送パラメータ予測部８０６、バースト送信制御部８０７を備えている。
【００５２】
以下、図５を用いて本実施の形態２の送信器８０１の動作について説明する。
【００５３】
まず、送信処理部８０８は、予め決められた長さのバースト伝送時間の間、送信パケットのバースト伝送を行う。その際に、送信処理部８０８は、受信処理部８０４へバースト伝送のパラメータを伝える。この場合のバースト伝送のパラメータとは、バースト伝送番号、バースト伝送時間などである。なお、バースト伝送時間は、本発明のバースト送信期間の一例にあたる。
【００５４】
受信処理部８０４は、バースト伝送時の受信確認パケット（ＡＣＫパケット）を確認して、そのバースト伝送が成功したかどうかを判定するとともに、バースト伝送結果記録部８０５にその結果を通知して記録させる。そして、バースト伝送パラメータ予測部８０６は、バースト伝送結果記録部８０５に記録されたバースト伝送結果の情報を参照して、次回のバースト伝送の伝送時間を決定する。なお、バースト伝送パラメータ予測部８０６が、本発明のバースト送信期間決定部の一例にあたる。また、次回のバースト伝送の伝送時間が、本発明の、これからバースト送信する際のバースト送信期間の一例にあたる。
【００５５】
バースト伝送結果記録部８０５に記録されるバースト伝送結果の一例を図６に示す。
【００５６】
例えばいま、図６に示すバースト伝送Ｎｏ．１、Ｎｏ．２が終了した時点とする。図６に示すように、バースト伝送Ｎｏ．１、Ｎｏ．２では、バースト伝送時間が２０で結果が失敗しているので、バースト伝送パラメータ予測部８０６は、次に行うバースト伝送Ｎｏ．３のバースト伝送時間を２０より短い、例えば１０とする。
【００５７】
このように、バースト伝送の時間を短くすることにより、チャネル行列が大きく変化しないうちにバースト伝送を終了させることが可能となる。
【００５８】
ここで、バースト伝送パラメータ予測部８０６は、バースト伝送結果記録部８０５に記録されたバースト伝送結果で失敗した伝送のうちで、最も短いバースト伝送時間よりも短い期間を、次回のバースト伝送の伝送時間としてもよい。例えば、バースト伝送が成功したときのバースト伝送時間が、５および１０、バースト伝送が失敗したときのバースト伝送時間が、１５および２０だった場合、次回のバースト伝送の伝送時間を、１５よりも短い期間の１０などとする。
【００５９】
また、バースト伝送結果記録部８０５に記録されたバースト伝送結果で成功した伝送のうちで、最も長いバースト伝送時間を、次回のバースト伝送の伝送時間としてもよい。例えば、バースト伝送が成功したときのバースト伝送時間が、５および１０、バースト伝送が失敗したときのバースト伝送時間が、１５および２０だった場合、次回のバースト伝送の伝送時間を、バースト伝送が成功したときの最も長いバースト伝送時間である１０とする。
【００６０】
なお、図６の受信時刻およびバースト伝送時間として示すシステム時間とは、数マイクロから数ミリ秒のカウンタを意味しており、数マイクロから数ミリ秒程度の精度を有するものであればどのようなものでもよい。
【００６１】
以上のように、本実施の形態２の送信器８０１は、過去のバースト伝送の結果を基に適応的にバースト伝送時間を変更することにより、バースト伝送の成功率を高めることが可能である。
【００６２】
なお、本発明のプログラムは、上述した本発明の無線送信器のバースト送信方法の、前記受信したパケット毎のチャネル行列を記録していく前記チャネル行列記録ステップ、チャネル行列の変動を予測する前記チャネル行列変動予測ステップ、送信するパケットの変調方式および／または誤り訂正符号の符号化率を変更させながら前記送信するパケットをバースト送信する前記バースト送信制御ステップ、の全部又は一部のステップの動作をコンピュータにより実行させるためのプログラムであって、コンピュータと協働して動作するプログラムである。
【００６３】
また、本発明のプログラムは、上述した本発明の無線送信器のバースト送信方法の、バースト送信した伝送結果を記録していく前記バースト伝送結果記録ステップ、これからバースト送信する際のバースト送信期間を決定する前記バースト送信期間決定ステップ、前記決定したバースト送信期間に送信するパケットをバースト送信する前記バースト送信制御ステップ、の全部又は一部のステップの動作をコンピュータにより実行させるためのプログラムであって、コンピュータと協働して動作するプログラムである。
【００６４】
また、本発明の記録媒体は、上述した本発明の無線送信器のバースト送信方法の、前記受信したパケット毎のチャネル行列を記録していく前記チャネル行列記録ステップ、チャネル行列の変動を予測する前記チャネル行列変動予測ステップ、送信するパケットの変調方式および／または誤り訂正符号の符号化率を変更させながら前記送信するパケットをバースト送信する前記バースト送信制御ステップ、の全部又は一部のステップの動作をコンピュータにより実行させるためのプログラムを記録した記録媒体であり、コンピュータにより読み取り可能かつ、読み取られた前記プログラムが前記コンピュータと協働して利用される記録媒体である。
【００６５】
また、本発明の記録媒体は、上述した本発明の無線送信器のバースト送信方法の、バースト送信した伝送結果を記録していく前記バースト伝送結果記録ステップ、これからバースト送信する際のバースト送信期間を決定する前記バースト送信期間決定ステップ、前記決定したバースト送信期間に送信するパケットをバースト送信する前記バースト送信制御ステップ、の全部又は一部のステップの動作をコンピュータにより実行させるためのプログラムを記録した記録媒体であり、コンピュータにより読み取り可能かつ、読み取られた前記プログラムが前記コンピュータと協働して利用される記録媒体である。
【００６６】
また、本発明のプログラムの一利用形態は、コンピュータにより読み取り可能な記録媒体に記録され、コンピュータと協働して動作する態様であっても良い。
【００６７】
また、記録媒体としては、ＲＯＭ等が含まれる。
【００６８】
また、上述した本発明のコンピュータは、ＣＰＵ等の純然たるハードウェアに限らず、ファームウェアや、ＯＳ、更に周辺機器を含むものであっても良い。
【００６９】
なお、以上説明した様に、本発明の構成は、ソフトウェア的に実現しても良いし、ハードウェア的に実現しても良い。
【００７０】
以上に説明したように、本発明の無線送信器およびそのバースト送信方法を用いると、従来の方法に比べバースト伝送の成功率が向上し、通信効率が向上する。本発明の無線送信器およびそのバースト送信方法は、無線ＬＡＮや携帯電話などのＭＩＭＯ固有モード通信のバースト伝送に適している。
【産業上の利用可能性】
【００７１】
本発明に係る無線送信器およびそのバースト送信方法は、通信の成功率を向上させ、ＭＩＭＯ固有モードを利用した携帯電話、無線ＬＡＮなどの無線送信器、およびそのバースト送信方法等に有用である。
【図面の簡単な説明】
【００７２】
【図１】本発明の実施の形態１の無線送信器のブロック図
【図２】本発明の実施の形態１の無線送信器のバースト伝送シーケンスを示す図
【図３】本発明の実施の形態１の無線送信器の、チャネル行列記録部に記録された推定チャネル行列の一例を示す図
【図４】本発明の実施の形態１の無線送信器で、バースト送信させるパケット数を変更した際の、バースト伝送シーケンスを示す図
【図５】本発明の実施の形態１の無線送信器のブロック図
【図６】本発明の実施の形態２の無線送信器の、バースト伝送結果記録部に記録されたバースト伝送結果の一例を示す図
【図７】一般的なＭ×Ｎ（送信アンテナ数Ｍ、受信アンテナ数Ｎ）ＭＩＭＯ通信におけるチャネル行列の概念図
【図８】ＭＩＭＯ固有モード通信の概略図
【図９】従来の、ＭＩＭＯ固有モード通信におけるバースト伝送のシーケンスを示した図
【符号の説明】
【００７３】
１０１  送信器
１０２  受信器
１０３  チャネル行列
２０１  送信側処理ＶH
２０２  見かけ上の伝送路Ｓ
２０３  受信側処理Ｕ
２０４  送信信号ベクトルｘ
２０５  受信信号ベクトルｙ
３０１  送信器
３０２  受信器
３０３  ＲＴＳパケット
３０４  ＣＴＳパケット
３０５  データパケット＃Ｌ−１
３０６  データパケット＃Ｌ
４０１  送信器
４０２  アンテナ
４０３  送受切替スイッチ
４０４  受信処理部
４０５  チャネル行列記録部
４０６  チャネル行列変動予測部
４０７  バースト送信制御部
４０８  送信処理部
５０１  送信器
５０２  受信器
５０３  データパケット＃１
５０４  データパケット＃２
５０５  データパケット＃３
５０６  データパケット＃Ｌ−１
５０７  データパケット＃Ｌ
８０１  送信器
８０２  アンテナ
８０３  送受切替スイッチ
８０４  受信処理部
８０５  バースト伝送結果記録部
８０６  バースト伝送パラメータ予測部
８０７  バースト送信制御部
８０８  送信処理部
【図１】
2006303625.tif 000003
【図２】
2006303625.tif 000004
【図３】
2006303625.tif 000005
【図４】
2006303625.tif 000006
【図５】
2006303625.tif 000007
【図６】
2006303625.tif 000008
【図７】
2006303625.tif 000009
【図８】
2006303625.tif 000010
【図９】
2006303625.tif 000011